(57)【要約】【課題】据付、保守作業のときに、ステップが円滑に移動するようにステップの進行方向に対して横方向の通過位置を調整する作業が容易に行えるエスカレータを得る。【解決手段】建築構造物に架設された主枠と、乗客を乗せる踏面を有し、ステップチェーンにより無端状に連結されて主枠内に設けられた往路及び帰路を循環移動される複数のステップと、ステップに回転可能に設けられたローラが走行するように主枠に支持された走行レールと、循環移動される方向に対して横方向のステップの両側に沿うように主枠に支持されたスカートガードと、を備えたエスカレータにおいて、ステップの踏面とは反対側の循環移動される方向の端部に循環移動される方向に貫通して設けられた凹部を有し、循環移動される方向に沿って延びるとともに凹部と係合するように主枠に支持されたガイドレールを備えたものである。【選択図】図２
2014185012.tif 000002
【特許請求の範囲】
【請求項１】
建築構造物に架設された主枠と、
乗客を乗せる踏面を有し、ステップチェーンにより無端状に連結されて前記主枠内の上側に設けられた往路及び前記主枠内の下側に設けられた帰路を駆動装置により循環移動される複数のステップと、
前記ステップに回転可能に設けられたローラが走行するように前記主枠に支持された走行レールと、
前記循環移動される方向に対して横方向の前記ステップの両側に沿うように前記主枠に支持されたスカートガードと、を備えたエスカレータにおいて、
前記ステップの前記踏面とは反対側の前記循環移動される方向の端部に前記循環移動される方向に貫通して設けられた凹部を有し、
前記循環移動される方向に沿って延びるとともに前記凹部と係合するように前記主枠に支持されたガイドレールを備えたことを特徴とするエスカレータ。
【請求項２】
前記ステップは、
前記踏面を有する踏板と、
前記踏板の前記循環移動される方向の一端部から前記踏面と反対側へ突出して設けられるとともに先端部に前記凹部が設けられたリブと、
隣接する前記踏板との隙間を塞ぐように前記踏板の他端部から前記踏面と反対側へ突出して設けられるとともに先端部に前記凹部が設けられたライザと、を備え、
前記往路では前記ガイドレールは前記リブに設けられた前記凹部に係合し、前記帰路では前記ガイドレールは前記ライザに設けられた前記凹部に係合することを特徴とする請求項１に記載のエスカレータ。
【請求項３】
前記凹部の前記ガイドレールと接触する部分には前記ステップよりも軟らかい材料からなる接触部材が固定されていることを特徴とする請求項１又は２に記載のエスカレータ。
【発明の詳細な説明】
【技術分野】
【０００１】
この発明は、エスカレータに関し、特に循環移動されるステップの進行方向に対して横方向の通過位置を案内するガイド構造に関するものである。
【背景技術】
【０００２】
エスカレータでは、建築構造物の上階と下階とに渡って架設された主枠の内側にステップ軸を備えたステップが配置されており、ステップ軸に取り付けられたステップチェーンにより複数のステップが無端状に連結されている。ステップの進行方向両側には、ステップと所定の隙間を開けて、往路はスカートガードが、帰路はステップガイドが主枠に支持されている。
【０００３】
ステップは主枠に支持された走行レールの上をステップチェーンにより移動され、このとき進行方向に対して横方向にも変位し蛇行する。ステップが直接スカートガード及びステップガイドに当たると騒音や故障が発生する。このためステップの横方向両端にガイドシューを取り付けて、ステップが直接スカートガード及びステップガイドに当たらないようにするとともにステップの横方向の通過位置を案内するものが知られている。（例えば、特許文献１参照）
【先行技術文献】
【特許文献】
【０００４】
【特許文献１】特開２００１−１４６３７９号公報（図１）
【発明の概要】
【発明が解決しようとする課題】
【０００５】
特許文献１に示されたエスカレータの据付、保守作業のときには、ステップが円滑に移動するようにステップの横方向の通過位置を調整するには、ステップ両側に設けられたスカートガード及びステップガイドそれぞれの取り付け位置を調整する必要があり作業に手間が掛かる。
【０００６】
本発明は、かかる問題を解決するためになされたもので、据付、保守作業のときに、ステップが円滑に移動するようにステップの進行方向に対して横方向の通過位置を調整する作業が容易に行えるエスカレータを得ることを目的とする。
【課題を解決するための手段】
【０００７】
本発明に係るエスカレータは、建築構造物に架設された主枠と、乗客を乗せる踏面を有し、ステップチェーンにより無端状に連結されて主枠内の上側に設けられた往路及び主枠内の下側に設けられた帰路を駆動装置により循環移動される複数のステップと、ステップに回転可能に設けられたローラが走行するように主枠に支持された走行レールと、循環移動される方向に対して横方向のステップの両側に沿うように主枠に支持されたスカートガードと、を備えたエスカレータにおいて、ステップの踏面とは反対側の循環移動される方向の端部に循環移動される方向に貫通して設けられた凹部を有し、循環移動される方向に沿って延びるとともに凹部と係合するように主枠に支持されたガイドレールを備えたものである。
【０００８】
本発明によれば、ステップには循環移動する方向に貫通した凹部を設け、主枠にはステップが循環移動する方向に沿って延びるとともに凹部と係合するガイドレールを設けたので、移動するステップの横方向の通過位置はガイドレールが案内する。このため、移動するステップの横方向の通過位置の調整は、ガイドレールのみの位置を調整することにより容易に行える。
【発明の効果】
【０００９】
本発明によれば、据付、保守作業のときに、ステップが円滑に移動するようにステップの進行方向に対して横方向の通過位置を調整する作業が容易に行えるエスカレータを得ることができる。
【図面の簡単な説明】
【００１０】
【図１】本発明の実施の形態１によるエスカレータの全体図である。
【図２】図１に示す矢視II―IIで、エスカレータの主枠内の断面図である。
【図３】図１に示す矢視IIIで、往路のステップとガイドレールの斜視図である。
【図４】図１に示す矢視IVで、帰路のステップとガイドレールの斜視図である。
【発明を実施するための形態】
【００１１】
実施の形態１．
本発明の一実施の形態を図１から図４により説明する。図１は本発明の実施の形態１によるエスカレータの全体図である。図２は図１に示す矢視II―IIで、エスカレータの主枠内の断面図である。図３は図1に示す矢視IIIで、往路においてステップがガイドレールに案内されている状態を示す斜視図である。図4は図1に示す矢視IVで、帰路においてステップがガイドレールに案内されている状態を示す斜視図である。
【００１２】
図１において、エスカレータ１は上部乗降口３ａと下部乗降口３ｂとの間に上下斜めに延びる主枠７を備えている。主枠７は、その上下端部において、建築構造物の梁９に支持されている。主枠７の内側には複数のステップ５が設けられ、上部乗降口３ａの下に設けられた駆動装置１１により循環移動される。上下端部方向に長い主枠７の内側は、その長手方向に沿って上下に分けられており、上側に乗客を運ぶためのステップ５が移動する往路１３が設けられ、下側には乗客を運び終わったステップ５が移動する帰路１５が設けられている。
【００１３】
ステップ５の進行方向に対して横方向のステップ５の両側に沿ってスカートガード１７が設けられいる。そして、ステップ５の両側のスカートガード１７の上側には、欄干１９が立設されている。スカートガード１７及び欄干１９は主枠７の長手方向に延びており、主枠７に支持されている。欄干１９の外周縁部それぞれには、ステップ５の移動と同期して移動される移動手摺２０が設けられている。
【００１４】
図２、図３、図４により、ステップ５の構造及びステップ５を案内しながら循環移動させる構造について説明する。ステップ５は、ブラケット２１、踏板２３、リブ２５、ライザ２７を有している。踏板２３の一方の面は乗客を乗せる踏面２３ａとなっている。踏面２３ａとは反対側の面のステップ５が移動する方向の一端部には、ステップ５の横方向に延びる板状のリブ２５が突出して設けられている。リブ２５の先端部の横方向中央には、ステップ５が移動する方向に貫通するように切り取られた凹部２５ａが設けられている。
【００１５】
踏板２３の踏面２３ａとは反対側の面にはブラケット２１が固定されている。また、踏板２３のリブ２５とは反対側の端部からはブラケット２１の方へライザ２７が設けられており、ライザ２７とブラケット２１は固定されている。ライザ２７の先端部の横方向中央は、更に一段突出したライザ突出部２８が設けられており、このライザ突出部２８には、ステップ５が移動する方向に貫通するように切り取られた凹部２８ａが設けられている。リブ２５の凹部２５ａ及びライザ突出部２８の凹部２８ａそれぞれの内面には凹形状に形成された接触部材としてのガイドシュー３０が取付けられている。ガイドシュー３０はリブ２５やライザ突出部２８よりも軟らかい材料により製作されている。例えば、リブ２５やライザ突出部２８の材料がアルミニウム合金の場合、ガイドシュー３０は樹脂材料を用いて製作されている。
【００１６】
リブ２５が設けられている側のブラケット２１の一端部にはステップ５の横方向に延びる駆動軸３２が設けられ、駆動軸３２の両端部には駆動ローラ３４が回転可能に取付けられている。この駆動ローラ３４にステップチェーン３６が取り付けられている。このステップチェーン３６によりステップ５は無端状に連結されている。そして、ステップチェーン３６が駆動装置１１によって駆動されることによりステップ５が循環移動される。
【００１７】
また、ブラケット２１の他端部には追従ローラ３８が回転可能に取付けられている。これらの往路１３側ステップ５の駆動ローラ３４と追従ローラ３８、そして、帰路１５側ステップ５の駆動ローラ３４と追従ローラ３８のそれぞれに対応する位置に走行レール４０が設けられている。駆動ローラ３４と追従ローラ３８が走行レール４０の上を回転しながら進むことによりステップ５が走行レール４０によって上下方向に案内されながら移動する。
【００１８】
主枠７の横方向両端部には、主枠７の内側へ突出するように取付板４２が固定されている。両側の取付板４２は、互いの方へ対向するように突出しており、それぞれの内側端部同士は横部材４４により連結されている。この取付板４２及び横部材４４は、主枠７の長手方向の複数個所に設けられている。それぞれの取付板４２の内側端部には、走行レール４０が固定されている。そして、横部材４４の上側が往路１３となっており、乗客を運ぶためのステップ５が移動し、横部材４４の下側が帰路１５となっており、乗客を運び終わったステップ５が移動するようになっている。
【００１９】
往路１３側のステップ５の横方向両側には、ステップ５の横方向両側端部と隙間を開けてスカートガード１７が設けられている。これらのスカートガード１７は主枠７の長手方向に延びるように設けられており、取付具４６を介して取付板４２に取付けられている。
【００２０】
往路１３及び帰路１５には、走行レール４０と並行して主枠７の長手方向に延びるように帯状の板部材からなるガイドレール４８が設けられている。ガイドレール４８は、長手方向が主枠７の長手方向に延びており、短手方向の一端部は横部材４４のガイドシュー３０対向部に固定されている。往路１３においては、ガイドレール４８の短手方向の他端部がリブ２５の凹部２５ａとガイドシュー３０を介して係合している。また、帰路１５においては、ガイドレール４８の短手方向の他端部はライザ突出部２８の凹部２８ａとガイドシュー３０を介して係合している。
【００２１】
ガイドシュー３０とガイドレール４８とは、ステップ５の横方向に互いに対向している面が接触できるようになっている。また、ガイドシュー３０の奥の面とガイドレール４８の短手方向の他端部の先端の面との間には隙間が開くようにしてある。そして、移動するステップ５は、往路１３においては凹部２５ａのガイドシュー３０がガイドレール４８と横方向に接触し、帰路１５においては凹部２８ａのガイドシュー３０がガイドレール４８と横方向に接触する。このようにステップ５はガイドレール４８によって横方向の通過位置を案内されながら移動する。
【００２２】
このように構成されたエスカレータ１では、据付、保守作業のときに往路１３においては、ステップ５の横方向両側の予め設定された位置にスカートガード１７を設置しておく。また、ガイドレール４８も予め設定された位置に横部材４４に固定しておく。そして、エスカレータ１を試運転し、ガイドレール４８にてステップ５の横方向の通過位置を案内しながらステップ５を移動する。
【００２３】
このとき往路１３においてステップ５がスカートガード１７と接触して騒音等の不都合が発生した場合は、ガイドレール４８の固定位置を調整して、ステップ５がスカートガード１７と接触しないようにする。帰路１５においても往路１３と同様に、ステップ５の横方向の通過位置により騒音等の不都合が発生した場合は、ガイドレール４８の固定位置を調整する。このようにステップ５が円滑に移動するようにステップ５の進行方向に対して横方向の通過位置を調整する作業は、ガイドレール４８を横部材４４に固定する位置だけを調整することにより容易に行える。
【００２４】
また、ガイドレール４８がステップ５の進行方向に対して横方向の通過位置を案内するので、ステップ５の蛇行にともなう横方向の荷重はガイドレール４８に掛かる。このため、ガイドレール４８のみをこの荷重に耐えられるようにしておけば良く、ステップ５の両側のスカートガード１７及びスカートガード１７の保持部は簡易な構造にすることができる。
【符号の説明】
【００２５】
１  エスカレータ、  ５  ステップ、  ７  主枠、  ９  梁、  １１  駆動装置、            １３  往路、  １５  帰路、  １７  スカートガード、  ２１  ブラケット、  ２３  踏板、２３ａ  踏面、  ２５  リブ、  ２５ａ  凹部、  ２７  ライザ、  ２８  ライザ突出部、  ２８ａ  凹部、  ３０  ガイドシュー、  ３４  駆動ローラ、  ３６  ステップチェーン、  ３８  追従ローラ、  ４０  走行レール、  ４８  ガイドレール
【図１】
2014185012.tif 000003
【図２】
2014185012.tif 000004
【図３】
2014185012.tif 000005
【図４】
2014185012.tif 000006